(57)【要約】【課題】LTE方式の通信システムからの指示によってCDMA方式の通信システムに遷移する場合でも、効率よく短時間で遷移することが可能な移動無線端末装置を提供する。【解決手段】移動無線端末装置UEは、E-UTRAN２１０から提供されるSystem Information情報に基づいて、PNGの始動、最良のセルの検出、Long Codeの生成開始を行って、1xRTT CS Access２５０から各種のメッセージを受信するようにしたものである。【選択図】      図１
2010178209.tif 000002
【特許請求の範囲】
【請求項１】
第１システムの第１無線基地局とLTE方式で無線通信する第１通信手段と、
第２システムの第２無線基地局とCDMA方式で無線通信する第２通信手段と、
前記第１通信手段を通じて、前記第２システムのシステム情報であるSystem Information Block 8を取得する情報取得手段と、
前記第１通信手段が第１システムからの指示を受信した場合に、前記システム情報に基づいて前記第２通信手段を制御して前記第２無線基地局と通信するシステム遷移手段とを具備することを特徴とする移動無線端末装置。
【請求項２】
前記システム遷移手段は、前記第１通信手段が第１システムからの指示を受信した場合に、前記システム情報に含まれるセル情報に基づいて前記第２通信手段を制御して前記第２無線基地局を探索することを特徴とする請求項１に記載の移動無線端末装置。
【請求項３】
前記システム遷移手段は、前記第１通信手段が第１システムからの指示を受信した場合に、前記システム情報に含まれる時間情報に基づいて前記第２通信手段を制御して前記第２無線基地局に同期することを特徴とする請求項１に記載の移動無線端末装置。
【請求項４】
さらに、前記情報取得手段が取得したシステム情報とシステム情報を取得した時刻情報を記憶する記憶手段と、
前記時刻情報と現在時刻を比較して経過時間を求める経過時間検出手段を備え、
前記システム遷移手段は、前記第１通信手段が第１システムからの指示を受信した場合に、前記経過時間検出手段が求めた経過時間と前記記憶手段に記憶された時刻情報とシステム情報とに基づいて前記第２通信手段を制御して、前記第２無線基地局と通信することを特徴とする請求項１に記載の移動無線端末装置。
【請求項５】
第１システムの第１無線基地局とLTE方式で無線通信する第１通信手段と、
第２システムの第２無線基地局とCDMA方式で無線通信する第２通信手段と、
前記第１通信手段を通じて、前記第２システムのシステム情報であるSystem Information Block 8を取得する情報取得手段と、
前記第１通信手段が着信信号を受信した場合に、前記システム情報に基づいて前記第２通信手段を制御して前記第２無線基地局と通信し、着信信号を受信するシステム遷移手段とを具備することを特徴とする移動無線端末装置。
【請求項６】
第１システムの第１無線基地局とLTE方式で無線通信する第１通信手段と、
第２システムの第２無線基地局とCDMA方式で無線通信する第２通信手段と、
前記第１通信手段を通じて、前記第２システムのシステム情報であるSystem Information Block 8を取得する情報取得手段と、
前記第１通信手段を制御して発信を行い、これに伴って前記第１通信手段が第１システムからの指示を受信した場合に、前記システム情報に基づいて前記第２通信手段を制御して前記第２無線基地局と通信し、発信を行うシステム遷移手段とを具備することを特徴とする移動無線端末装置。
【発明の詳細な説明】
【技術分野】
【０００１】
この発明は、例えば移動体で用いられる移動無線端末装置に関する。
【背景技術】
【０００２】
周知のように、例えば自動車・携帯電話システムや無線LANなどの無線通信システムでは、通信方式として、OFDMA（Orthogonal Frequency Multiple Access）方式とCDMA(Code Division Multiple Access)方式を採用するものがある。OFDM(Orthogonal Frequency Division Multiplexing)方式は、干渉や妨害に強く、注目されている。
【０００３】
OFDM方式を利用した3GPP LTE（Long Term Evolution）方式（例えば、非特許文献１乃至４参照）では、ネットワーク上のデータは全てパケットで扱われ、音声通信もVoIP（Voice over IP）を用いたパケット通信方式が採用されている。
【０００４】
しかし、3GPP LTE方式においても、これまでの２Ｇ／３Ｇシステムで採用されてきた回線交換方式による音声通信が全く使われなくなる訳ではなく、状況に応じて、音声の発着信時に既存の回線交換方式の２Ｇ／３Ｇシステムを利用し、音声通信を行うことが検討されている。
【０００５】
現在検討されているシステムでは、LTEネットワーク（以後、E-UTRANネットワークと称する）を通じて待ち受け状態にある移動局が着信を受けた場合に、３Ｇネットワーク（以後、1xRTTネットワークと称する）に受け渡して、移動局は1xRTTネットワークとの間で所定の手順を経たのち通信状態に至る。
【０００６】
しかしながら、上記の手順では、E-UTRANネットワークから移動局に通知されるRedirection Information Elementでは、移り先のシステム（1xRTTネットワーク）を示す情報と、その周波数のみが記述されているだけである。このため、移動局は、1xRTTネットワークとの間で、システムを捕捉する処理を一から行う必要があり、通信リンクを確立するまでに時間がかかり、通話を開始するまでに大きな遅延時間が生じることになる。この処理には、通常、２〜３秒程度を要するため、1xRTTネットワークを通じた着信状態から通話を確立するまでに要する時間が100msであることを考えると、約１０倍以上の遅延が発生することになってしまう。
【０００７】
なお、E-UTRANネットワークから1xRTTネットワークに切り替えるにあたって、移り先の1xRTTシステムの受信環境を事前に測定し、その結果をE-UTRANに対して報告するCCO（Cell  Change  Order）により遷移することも考えられる。しかしながら、この処理については、現在の３GPP規格において、1xRTTに関してサポートされていない。
【先行技術文献】
【非特許文献】
【０００８】
【非特許文献１】Erik Dahlman著 Academic Press, 2007年、ｐ．２７７−３６９。
【非特許文献２】3GPP TS23.401
【非特許文献３】3GPP TS23,402
【非特許文献４】3GPP TS36.300
【発明の概要】
【発明が解決しようとする課題】
【０００９】
複数の通信システムに対応する従来の移動無線端末装置では、LTE方式の通信システムからの指示によってCDMA方式の通信システムに遷移する場合に、多くの時間がかかるという問題があった。  
この発明は上記の問題を解決すべくなされたもので、LTE方式の通信システムからの指示によってCDMA方式の通信システムに遷移する場合でも、効率よく短時間で遷移することが可能な移動無線端末装置を提供することを目的とする。
【課題を解決するための手段】
【００１０】
上記の目的を達成するために、この発明は、第１システムの第１無線基地局とLTE方式で無線通信する第１通信手段と、第２システムの第２無線基地局とCDMA方式で無線通信する第２通信手段と、第１通信手段を通じて、第２システムのシステム情報であるSystem Information Block 8を取得する情報取得手段と、第１通信手段が第１システムからの指示を受信した場合に、システム情報に基づいて第２通信手段を制御して第２無線基地局と通信するシステム遷移手段とを具備して構成するようにした。
【発明の効果】
【００１１】
以上述べたように、この発明では、第１システムの第１無線基地局とLTE方式で無線通信する第１通信手段を通じて、CDMA方式で無線通信する第２システムのシステム情報System Information Block 8を取得し、第１システムからの指示があった場合に、上記システム情報に基づいて第２無線基地局と通信するようにしている。
【００１２】
したがって、この発明によれば、LTE方式の通信システムからの指示によってCDMA方式の通信システムに遷移する場合でも、効率よく短時間で遷移することが可能な移動無線端末装置を提供できる。
【図面の簡単な説明】
【００１３】
【図１】この発明に係わる移動無線端末装置が用いられる無線通信システムの構成を示す図。
【図２】図１に示した無線通信システムで用いられる移動無線端末装置の構成を示す回路ブロック図。
【図３】図１に示した無線通信システムの動作シーケンスを説明するための図。
【図４】図１に示したE-UTRANから移動無線端末装置に提供されるシステム情報の一例を示す図。
【図５】図４に示したシステム情報が不規則に提供される様子を説明するための図。
【図６】図４に示したシステム情報の一例を示す図。
【図７】図３に示した動作シーケンスにしたがって、移動無線端末装置がE-UTRANから1xRTT CS Accessに遷移する動作を説明するための図。
【図８】図１に示した無線通信システムの動作シーケンスを説明するための図。
【図９】図８に示した動作シーケンスで、移動無線端末装置が記憶する複数のシステム情報の一例を示す図。
【図１０】図８に示した動作シーケンスにしたがって、移動無線端末装置がE-UTRANから1xRTT CS Accessに遷移する動作を説明するための図。
【発明を実施するための形態】
【００１４】
以下、図面を参照して、この発明の一実施形態について説明する。  
この発明の一実施形態に係わる移動無線端末装置UE、すなわち移動局について説明する。この移動無線端末装置UEは、２つ以上の異なる無線接続方式で通信が可能である。以下の説明では、CDMA2000 1x方式（以下、1x方式と称する）と、LTE(Long Term Evolution)方式の２つの無線接続方式に対応する場合を例に挙げて説明する。
【００１５】
1x方式は、回線交換接続により、音声通信サービスや100kbps以下の低速パケット通信サービスを提供できる。一方、LTE方式は、パケット交換接続により、2Mbps〜20Mbps程度の高速パケットサービスを提供するもので、VoIP(Voice over Internet Protocol)により音声通話サービスも提供できる。
【００１６】
各方式は、互いに異なる利用周波数が定められている。ここでは以下のように定義する。すなわち、1x方式は、基地局から移動無線端末装置UEに向けた下り回線として周波数f1dが割り当てられ、反対に上り回線の周波数としてf1uが割り当てられる。また、LTE方式は、基地局から移動無線端末装置UEに向けた下り回線として周波数f2dが割り当てられ、反対に上り回線の周波数としてf2uが割り当てられる。
【００１７】
そして、この無線通信システムは、1x方式の無線信号を送受信する基地局1x-BSと、LTE方式の無線信号を送受信する基地局LTE-BSとがそれぞれ敷設され、それぞれセルと呼ばれる無線ゾーンを形成している。なお、1x方式とLTE方式の両方の無線信号を送受信する基地局も存在する。
【００１８】
1x方式に対応する基地局1x-BSは、例えば3GPP2 A.S0001-AおよびA.S0008-Cに準拠した1xRTTアクセス網に収容される。またLTE方式に対応する基地局LTE-BSは、例えば3GPP TS 23.401 v8.2.0および3GPP TS23.402 v8.2.0に準拠したE-UTRANアクセス網に収容される。
【００１９】
図１は、上記移動無線端末装置UEが用いられる無線通信システムの一部の構成を示すものであって、3GPP 23.272 Ver.8.2.0に準拠し、E-UTRAN２１０と、Serving/PDN GW２２０と、MME２３０と、1xCS IWSノード２４０と、1xRTT CS Access２５０と、1xRTT MSC２６０とを備える。
【００２０】
E-UTRAN２１０は、移動無線端末装置UEがLTE方式によって無線接続を行なうインフラであって、基地局LTE-BSやE-NodeBなどが含まれる。  
Serving/PDN GW（Public Data Network Gateway）２２０は、サービングネットワークとローミング網（PDN）とを接続し、E-UTRAN２１０を介して接続される移動無線端末装置UEをインターネットへつなげるゲートウェイある。
【００２１】
MME（Mobility Management Entity）２３０は、E-UTRAN２１０を介して接続される移動無線端末装置UEの移動管理など、モビリティーマネージメント機能を有する。  1xCS IWS（Inter Work System）ノード２４０は、1xRTTとE-UTRAN間のCS-FALL BACK(Circuit Switched Fallback)をサポートするためのインターワーキングソルーション機能を有し、E-UTRAN２１０の周辺に位置する1x方式のセルの識別情報や1x方式システムの制御情報をE-UTRAN２１０に提供する。
【００２２】
1xRTT CS Access２５０は、移動無線端末装置UEが1x方式によって無線接続を行なうインフラであって、1x方式のBTS（Base Transceiver Station）、すなわち基地局1x-BSと、これとネットワークを中継するBSC（Base Station Controller）とを備える。  
1xRTT MSC（Mobile Switching Center）２６０は、1x方式の移動体通信網の交換局である。
【００２３】
図２は、上記移動無線端末装置UEの構成を示すものである。この図に示すように、移動無線端末装置UEは、送受信用アンテナ１０１と、受信用アンテナ１０２と、端末制御部１００と、受信部１１０と、受信信号処理部１２０と、送信信号処理部１３０と、送信部１４０とを備える。その他、文字や映像を表示する表示部１５０や、ユーザからの要求や番号入力を受け付ける入力部１６０を備え、駆動電力を供給するバッテリや電源部、送話音声を入力するためのマイクロホン、受話音声を拡声出力するスピーカなどを備える。また記憶部１７０を備える。
【００２４】
基地局1x-BS、LTE-BSから送信された無線信号（周波数f1d、f2d）は、送受信用アンテナ１０１および受信用アンテナ１０２で受信される。受信された無線信号は、受信部１１０で、ベースバンド受信信号にダウンコンバートされる。このダウンコンバートに用いられるローカル信号は、受信信号処理部１２０から指示された通信方式に応じた周波数で発振され、これにより、受信対象となる無線信号（周波数f1d、f2dのいずれか）が選択される。
【００２５】
受信信号処理部１２０は、1x方式に対応し基地局1x-BSから受信した信号を処理する1x受信信号処理部１２０ａと、LTE方式に対応し基地局LTE-BSから受信した信号を処理するLTE受信信号処理部１２０ｂとを備える。
【００２６】
そして、受信信号処理部１２０は、端末制御部１００から指示された通信方式を受信部１１０に通知するとともに、1x受信信号処理部１２０ａとLTE受信信号処理部１２０ｂのうち、上記通信方式に対応する処理部を起動する。
【００２７】
1x受信信号処理部１２０ａおよびLTE受信信号処理部１２０ｂは、それぞれ対応する通信方式に応じた信号処理を行うものであって、起動されると、その信号処理により、ベースバンド受信信号を復調および復号し、受信データを得る。
【００２８】
送信信号処理部１３０は、1x方式に対応し基地局1x-BSに送信する信号を生成する1x送信信号処理部１３０ａと、LTE方式に対応し基地局LTE-BSに送信する信号を生成するLTE送信信号処理部１３０ｂとを備える。
【００２９】
そして、送信信号処理部１３０は、端末制御部１００から指示された通信方式を送信部１４０に通知するとともに、1x送信信号処理部１３０ａとLTE送信信号処理部１３０ｂのうち、上記通信方式に対応する処理部を起動する。
【００３０】
1x送信信号処理部１３０ａおよびLTE送信信号処理部１３０ｂは、それぞれ対応する通信方式に応じた信号処理を行うものであって、起動されると、その信号処理により、送信データを符号化し、その後、変調して、ベースバンド送信信号を生成する。
【００３１】
送信部１４０は、送信信号処理部１３０から通知された通信方式に対応する周波数のローカル信号を発振し、このローカル信号で上記ベースバンド送信信号を無線周波数にアップコンバートする。これにより、送信対象となる無線信号（周波数f1u、f2uのいずれか）が選択される。無線信号は、送受信用アンテナ１０１を通じて空間に放射される。
【００３２】
記憶部１７０は、端末制御部１００の制御プログラムや制御データを記憶するものであって、受信信号処理部１２０が受信した通信パラメータ（例えば、SIB8やその取得時刻の情報など）を記憶する。
【００３３】
端末制御部１００は、当該移動無線端末装置UEの各部を統括して制御するものであって、入力部１６０を通じたユーザからの要求に応じた通信方式で通信を行うために各部を制御したり、あるいは後述する待ち受け処理や着信処理にしたがって、通信方式の選択、位置登録や着信の待ち受けなどの処理を行う。これらの処理により、LTE方式により着信の通知があり、E-UTRAN２１０から1x方式に遷移するように指示があった場合に、1x方式に遷移して、1xRTT CS Access２５０から着信報知を受け付ける。
【００３４】
次に、上記構成の移動無線端末装置UEの動作について説明する。以下の説明では、1x方式あるいはLTE方式により、着信が生じて通話を開始するまでの動作などについての説明は省略し、この発明に係わる動作、すなわちLTE方式により着信の通知があり、LTE方式から1x方式に遷移して、着信を受ける場合の動作について説明する。図３は、そのシーケンス図であって、3GPP23.272 Ver.8.2.0をベースにしている。
【００３５】
なお、移動無線端末装置UEにおける動作制御は、端末制御部１００が主体となって、受信信号処理部１２０と送信信号処理部１３０を制御することにより実現し、以下の説明の初期状態においては、E-UTRAN２１０を介した通信を行うために、LTE受信信号処理部１２０ｂおよびLTE送信信号処理部１３０ｂが機能している。
【００３６】
シーケンスＳ−１では、移動無線端末装置UEに対して、E-UTRAN２１０へのアタッチ（レジストレーション）が行われ、3GPP23.272 Ver.8.2.0のB.2.1.1.節で定義される1xRTT CSを用いたプレレジストレーションが行われる。  
シーケンスＳ−２では、1xRTT MSC２６０が1xCS IWSノード２４０に、pagingリクエストを送信する。
【００３７】
シーケンスＳ−３では、1xCS IWSノード２４０がS102トンネルを通じて、ＭＭＥ２３０へ上記pagingリクエストを転送する。  
シーケンスＳ−４では、移動無線端末装置UEがアイドル状態の場合に、MME２３０がNETWORK起動のサービスリクエスト手順（Network-initiated service request procedure）を実行する。これは、移動無線端末装置UEが1xRTT CSへのページングリクエストを受信する前に、移動無線端末装置UEをACTIVE状態にしておくための動作である。
【００３８】
シーケンスＳ−５（Ｓ−５ａ、Ｓ−５ｂ）では、MME２３０が、E-UTRAN２１０を通じて、1xRTT CS paging requestを移動無線端末装置UEへ転送する。  
シーケンスＳ−６では、移動無線端末装置UEが、MME２３０へService Request (CS Fallback Indicator) を送信する。
【００３９】
シーケンスＳ−７では、MME２３０が S1-AP、すなわちUE Context Modification(UE capabilities, CS Fallback Indicator)を送信して、移動無線端末装置UEがE-UTRANから1xRTTに遷移することを示す。  
シーケンスＳ−８では、オプションとして、E-UTRAN２１０が、移動無線端末装置UEに対してMeasurement Reportを要求し、目標の1xRTTセルを、CS Fallbackが実行されるものに決定する。
【００４０】
シーケンスＳ−９では、E-UTRAN２１０が、1xCSに対するredirectionでRRC connection releaseを起こすか、あるいは、1xRTTの周辺セル（Neighbor Cell）に対するInter-RAT CCO(Cell Change Order)を起こす。なお、Rel.8では、1xRTTへのCCOは実施されない。
【００４１】
シーケンスＳ−（ａ）では、移動無線端末装置UE（端末制御部１００）が、E-UTRAN２１０より送信されるＢＣＨを通じてE-UTRAN２１０から送信される1x方式のSystem Information情報を取得する。このSystem Information情報には、図４に示すものが含まれており、予めE-UTRAN２１０が、近隣の1xRTT CS Access２５０についてのSystem Information情報を保持している。このSystem Information情報は、1xCS IWSノード２４０から提供される。
【００４２】
また、System Information情報は、図５に示すように、E-UTRAN２１０からＢＣＨを通じて、種々のSIB(System Information Block)が不規則に送信されており、このうち、移動無線端末装置UE（端末制御部１００）は、特に、SIB8を取得し、この情報とその取得したタイミング（LTE Frame：10ms単位）を記憶部１７０に記憶させる。SIB8は、図６に示すように、System Timing情報、Long Code情報およびNeighbor Cell List情報を含んでいる。
【００４３】
System Timing情報は、3GPP2 C.S0002-Aに記述されるCDMA2000-SｙstemTimeInfoに含まれる情報であって、1x方式の基地局装置、すなわち1xRTT CS Access２５０が同期するGPS(Global Positioning System)基準時刻を示す情報を含んでいる。
【００４４】
またLong Code情報は、3GPP2 C.S0002-Aに記述されるoneXRTT-LongCodeStateに含まれる情報であって、１９８０年１月６日を起点として始動した４２ビットカウンタによりカウントされる情報である。なお、1xRTT CS Access２５０から送信される情報は、Long Code情報によってスクランブリングされているので、情報を正しく受信するためには、Long Code情報を正しく設定しなければならない。
【００４５】
そして、Neighbor Cell List情報は、E-UTRAN２１０の周辺に位置する1x方式のセルの識別情報である。すなわち、SIB8には、移動無線端末装置UEがこれより遷移する1xRTT CS Access２５０と同期するために必要な情報が含まれている。従来においては、これらの情報は、移動無線端末装置UEが初期同期処理を実施することにより得ていたものである。
【００４６】
シーケンスＳ−（ｂ）では、移動無線端末装置UEが、RAT(Radio Access Technology) Change（UTRAN→1xRTT）を実施し、記憶部１７０に記憶しておいたSIB8の情報に基づいて、この情報を適用すべきタイミングまでに、E-UTRAN２１０から1xRTT CS Access２５０に遷移する。すなわち、端末制御部１００が、受信信号処理部１２０と送信信号処理部１３０を制御して、LTE受信信号処理部１２０ｂおよびLTE送信信号処理部１３０ｂに代わって、1x受信信号処理部１２０ａおよび1x送信信号処理部１３０ａを動作させる。
【００４７】
そして、移動無線端末装置UEでは、端末制御部１００が、図７に示すように、シーケンスＳ−（ａ）で上記SIB8を取得したタイミングに基づいて、1x方式のSync Channel Super frame（80ms）に同期させてPNG(Pseudo Noise Generator)を始動させる。これにより、Sync Channelの同期と、Systemタイミング同期（Slew Back）が完了したことになる。
【００４８】
次に移動無線端末装置UEでは、端末制御部１００が、上記PNGと上記SIB8のNeighbor Cell List情報に基づいて、複数の周辺セルからの順次、パイロットチャネル信号を受信して、1x受信信号処理部１２０ａがその受信品質を測定し、最も通信に適した周辺セルを端末制御部１００が検出する。このセル検出は、数十ms以内に完了する。これにより、高速初期捕捉サーチと、周波数Pull-INが完了したことになる。
【００４９】
そして、移動無線端末装置UEでは、端末制御部１００が、上記SIB8を取得したタイミングから320ms（=4 Sync Channel Super frame）後に、上記SIB8のLong Code情報に基づくLong Codeの生成を開始し、これに基づいて1x受信信号処理部１２０ａおよび1x送信信号処理部１３０ａを動作させる。これにより、1xRTT CS Access２５０から各種のメッセージを受信可能な状態となる。
【００５０】
一方、上記シーケンスＳ−（ａ）、Ｓ−（ｂ）が実施される間に、シーケンスＳ−１０〜Ｓ−１３が行われる。  
シーケンスＳ−１０では、E-UTRAN２１０が、S1 UE Context Release Request (Cause) messageをMME２３０に送る。このときCauseは、S1 UE Context Releaseが1xRTTに対するCS fallbackによってもたらされたことを示している。
【００５１】
シーケンスＳ−１１では、MME２３０が、UE context をsuspended statusにセットし、移動無線端末装置UEに関するEPSベアラのサスペンドを要求するSuspend Request (IMSI) messageをS-GW２３０に送信する。  
シーケンスＳ−１２では、S-GW２２０が、上記Suspend Request messageを受け取ったことを知らせ、移動無線端末装置UEをサスペンド扱いする。ここで、S-GW２２０にdownlink dataが到着しても、移動無線端末装置UEがサスペンド扱いになっている場合には、S-GW１１０は、downlink data notification messageをMME２３０には送信しない。
【００５２】
シーケンスＳ−１３では、E-UTRAN２１０におけるS1 UE Contextは、MME２３０との間で、TS 23.401に記述されたようにリリースされる。  
シーケンスＳ−１４では、移動無線端末装置UEがすでにシーケンスＳ−（ｂ）により、1xRTT CS Access２５０から各種のメッセージを受信可能な状態となっているので、1xRTT CS Access２５０に同調して、1xアクセスチャネルを通じて1xRTT Paging Response messageを送信することによって、ページを受け取ったことを知らせて、NWに認識され、スムーズに、Paging情報およびオーバヘッドメッセージの受信や、アクセスチャネル情報取得リンクメンテナンスを行うことができる。
【００５３】
シーケンスＳ−１５では、移動無線端末装置UEは、引き続き、移動無線端末装置UEへの着信の確立についての手順を実行して、RACHを通じた発信処理が可能となる。この手順については、3GPP2 A.S0013 [18]に規定される。その後は、1xRTT CS Access２５０から受信信号処理部１２０ａが着信信号を受信して、端末制御部１００が図示しないサウンダなどを駆動制御して、メロディ音などで着信の発生をユーザに報知する。
【００５４】
なお、一旦、1xCSドメインのCSサービスが終了すると、移動無線端末装置UEは、リセレクションを実行して、E-UTRAN２１０に接続し、6.5節で記述されるように、EPS(Evolved Packet System)サービスが再開される。
【００５５】
以上のように、上記構成の移動無線端末装置UEでは、E-UTRAN２１０から提供されるSystem Information情報に基づいて、PNGの始動、最良のセルの検出、Long Codeの生成開始を行うようにしている。  
したがって、上記構成の移動無線端末装置UEによれば、従来、RAT Change（UTRAN→1xRTT）に伴って実施していた高速初期捕捉サーチ、周波数Pull-IN、Sync Channel 80ms同期、Systemタイミング同期Slew Backに費やす時間を短縮できるので、LTE方式から1x方式への遷移を短時間に完了することができる。
【００５６】
なお、上記実施の形態では、シーケンスＳ−（ａ）とシーケンスＳ−（ｂ）を連続して行うようにしたが、これに限定されるものではない。System Information情報（SIB8）の取得は、着信の発生が発生した場合に限らず、着信の発生に備えて、予め設定したタイミング、例えば定期的なタイミングで取得しておくようにしてもよい。例えば、図８に示すように、シーケンスＳ−（ａ）に代わって、シーケンスＳ−（ａ１）とシーケンスＳ−（ａ２）を実施する。
【００５７】
シーケンスＳ−（ａ１）は、シーケンスＳ−（ａ２）およびシーケンスＳ−（ｂ）より前の任意のタイミングで定期的に実行され、移動無線端末装置UE（端末制御部１００）が、E-UTRAN２１０より送信されるＢＣＨを通じてE-UTRAN２１０から送信される1x方式のSystem Information情報（SIB8）を取得し、図９に示すように、この情報と、E-UTRANを構成するeNode-Bの識別情報（セルID）とを対応付けて記憶部１７０に記憶させるとともに、さらに、これらの情報に対応付けて、端末制御部１００が計時する時刻に基づいて、取得した時刻情報Ｔを記憶部１７０に記憶させる。なお、同じセルＩＤについてのSIB8を取得した場合には、後に取得した情報で更新する。
【００５８】
その後に、移動無線端末装置UEが、シーケンスＳ−（ａ２）およびシーケンスＳ−（ｂ）を実行して、RAT Change（UTRAN→1xRTT）を開始し、記憶部１７０に記憶しておいたSIB8の情報に基づいて、この情報を適用すべきタイミングまでに、E-UTRAN２１０から1xRTT CS Access２５０に遷移する。
【００５９】
まず、シーケンスＳ−（ａ２）では、記憶部１７０が記憶する情報のうち、現在のセルE-UTRANを構成するeNode-Bの識別情報に対応付けられた情報を参照し、その情報に含まれる取得時刻Ｔと端末制御部１００が計時する時刻ｔと比較して、経過時間ΔＴを求める。
【００６０】
つづいて、図８のシーケンスＳ−（ｂ）では、移動無線端末装置UE（端末制御部１００）が、受信信号処理部１２０と送信信号処理部１３０を制御して、LTE受信信号処理部１２０ｂおよびLTE送信信号処理部１３０ｂに代わって、1x受信信号処理部１２０ａおよび1x送信信号処理部１３０ａを動作させる。
【００６１】
そして、端末制御部１００が、図１０に示すように、シーケンスＳ−（ａ１）で上記SIB8を取得した時刻Ｔと、シーケンスＳ−（ａ２）で求めた経過時間ΔＴとに基づいて、1x方式のSync Channel Super frame（80ms）に同期させてPNGを始動させる。これにより、Sync Channelの同期と、Systemタイミング同期（Slew Back）が完了したことになる。
【００６２】
また、端末制御部１００は、上記SIB8を取得した時刻Ｔと、上記経過時間ΔＴと、上記SIB8のLong Code情報に基づいて、Sync Channel Super frameに同期したタイミングでLong Codeの生成を開始し、これに基づいて1x受信信号処理部１２０ａおよび1x送信信号処理部１３０ａを動作させる。これにより、1xRTT CS Access２５０から各種のメッセージを受信可能な状態となる。
【００６３】
また端末制御部１００は、上記PNGと上記SIB8のNeighbor Cell List情報に基づいて、複数の周辺セルからの順次、Cell Listと関連付けられたセル固有のマスク情報を用いてパイロット信号を受信して、1x受信信号処理部１２０ａがその受信品質を測定し、最も通信に適した周辺セルを端末制御部１００が検出する。このセル検出は、数十ms以内に完了する。これにより、高速初期捕捉サーチと、周波数Pull-INが完了したことになる。  
このように、RAT Change（UTRAN→1xRTT）の開始よりもずっと前の任意のタイミングで、例えば定期的にSIB8を取得しておくようにしても、同様の効果が得られる。
【００６４】
なお、RAT Change（UTRAN→1xRTT）の開始よりもずっと前の任意のタイミングでSIB8を取得しておく場合には、この情報を利用するまで（着信が発生するまで）に、System Frame Counterが新しい周期に入ることが想定される。このため、端末制御部１００は、System Frame Counterの上位ビットに相当する時刻情報を保持するようにして、経過時間を記憶するようにする。これによれば、System Frame Counterが新しい周期に入っても、SIB8を取得してからの経過時間を求めることができる。
【００６５】
また、これに代わって例えば、System Frame Counterが新しい周期に入る度に、経過時間をSystem Timing情報とLong Code情報にそれぞれ反映させて保持するようにしてもよい。
【００６６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６７】
その一例として例えば、上記実施の形態では、着信が発生した場合を例に挙げて説明したが、発信を行う場合にも適用することができる。すなわち、移動無線端末装置UEがE-UTRAN２１０を通じて発信を要求した場合に、端末制御部１００が、E-UTRAN２１０から提供されるSystem Information情報（SIB8）を取得し、これに基づいて、PNGの始動、最良のセルの検出、Long Codeの生成開始を行うようにし、1x受信信号処理部１２０ａおよび1x送信信号処理部１３０ａを動作させ、これによりLTE方式から1x方式へ遷移して、1x方式で発信を行うようにしてもよい。
【００６８】
なお、発信に適用する場合についても、発信処理を開始してからSystem Information情報（SIB8）を取得するのではなく、ユーザから発信の要求が発生する前に、所定のタイミング、例えば定期的なタイミングで、予めSystem Information情報（SIB8）を取得しておくようにしてもよい。  
その他、この発明の要旨を逸脱しない範囲で種々の変形を施しても同様に実施可能であることはいうまでもない。
【符号の説明】
【００６９】
１００…端末制御部、１０１…送受信用アンテナ、１０２…受信用アンテナ、１１０…受信部、１２０…受信信号処理部、１２０ａ…1x受信信号処理部、１２０ｂ…LTE受信信号処理部、１３０…送信信号処理部、１３０ａ…1x送信信号処理部、１３０ｂ…LTE送信信号処理部、１４０…送信部、１５０…表示部、１６０…入力部、１７０…記憶部、２１０…E-UTRAN、２２０…Serving/PDN GW、２３０…MME、２４０…1xCS IWSノード、２５０…1xRTT CS Access、２６０…1xRTT MSC、UE…移動無線端末装置。
【図１】
2010178209.tif 000003
【図２】
2010178209.tif 000004
【図３】
2010178209.tif 000005
【図４】
2010178209.tif 000006
【図５】
2010178209.tif 000007
【図６】
2010178209.tif 000008
【図７】
2010178209.tif 000009
【図８】
2010178209.tif 000010
【図９】
2010178209.tif 000011
【図１０】
2010178209.tif 000012